(57)【要約】      （修正有）【課題】パーツ点数を増やすこと無く、簡易な構成で耐衝撃性を向上させたレンズ鏡筒を提供する。【解決手段】光軸を中心軸とするレンズ素子を保持するレンズ鏡室と、レンズ鏡室を保持する固定筒１０と、レンズ鏡室と固定筒１０との位置関係を光軸と直行する方向に調整可能な複数の調芯部材５１と、を有するレンズ鏡筒１であって、レンズ鏡室は複数の第１のバヨネット爪３１を有し、固定筒１０は複数の第２のバヨネット爪１４を有し、第１のバヨネット爪及び第２のバヨネット爪の個数は同数であり光軸方向から見て少なくとも一部が重なる位置に配されることを特徴とした。【選択図】図１
2020012997.tif 000002
【特許請求の範囲】
【請求項１】
光軸を中心軸とするレンズ素子を保持するレンズ鏡室と、
前記レンズ鏡室を保持する固定筒と、
前記レンズ鏡室と前記固定筒との位置関係を光軸と直行する方向に調整可能な複数の調芯部材と、を有するレンズ鏡筒であって、
前記レンズ鏡室は複数の第１のバヨネット爪を有し、
前記固定筒は複数の第２のバヨネット爪を有し、
前記第１のバヨネット爪及び前記第２のバヨネット爪の個数は同数であり光軸方向から見て少なくとも一部が重なる位置に配されることを特徴とするレンズ鏡筒。
【請求項２】
前記調芯部材は衝撃に対して変形可能な調芯コロであり、
前記第１のバヨネット爪と前記第２のバヨネット爪は空隙を有して配されており、
前記空隙は前記調芯コロの変形可能幅より小さいことを特徴とする請求項１に記載のレンズ鏡筒。
【請求項３】
前記第１のバヨネット爪及び前記第２のバヨネット爪は、光軸を中心とした円周上に均等な距離で配されることを特徴とする請求項１又は請求項２のいずれかに記載のレンズ鏡筒。
【請求項４】
前記調芯部材、前記第１のバヨネット爪及び前記第２のバヨネット爪の個数は同数であり光軸方向から見て少なくとも一部が重なる位置に配されることを特徴とする請求項１乃至請求項３のいずれかに記載のレンズ鏡筒。
【請求項５】
前記レンズ鏡室はレンズ保持部及び支持部から構成され、
前記レンズ保持部と前記支持部とは光軸方向から締結部材によって固定されていることを特徴とする請求項１乃至請求項３のいずれかに記載のレンズ鏡筒。
【請求項６】
前記締結部材、前記第１のバヨネット爪及び前記第２のバヨネット爪は光軸方向から見て少なくとも一部が重なる位置に配されることを特徴とする請求項５に記載のレンズ鏡筒。
【発明の詳細な説明】
【技術分野】
【０００１】
本発明はシフト調整が可能なレンズ鏡筒に関する。
【背景技術】
【０００２】
従来から、デジタルスチルカメラに備えられる撮影レンズには、レンズ鏡室と固定筒との位置関係を調整するための調整機構が設けられている。位置関係の調整を行うことで、製造上の誤差によって生じる撮影レンズの性能低下を抑制することができる。
【０００３】
このような撮影レンズ調整の一種として、レンズ鏡室を光軸と直行する方向に移動させるシフト調芯が知られている。例えば、特許文献１には、レンズ間の光軸の偏芯を調整する機構を備えたレンズ鏡筒に関する発明であって、ピン部の偏芯回転により保持部材を光軸直交面内で調整駆動する機構が開示されている。
【０００４】
また、シフト調芯によってレンズ鏡室を調整させた後には、その調整後の状態から位置関係が変化しないように、レンズ鏡室とレンズ鏡筒との係合部を固定する必要がある。特にシフト調芯に係るレンズ鏡室の重量が大きい場合には、衝撃による係合部への負荷が大きくなるため、耐衝撃性の向上が求められている。
【０００５】
例えば、特許文献２には、接着台ピンを用いてレンズ鏡室と固定筒とを接着剤で固着する発明が開示されている。この発明によれば、パーツが変形したり破損したりすることや硬化した接着剤の破片の散乱すること等を招くことのない、調芯機構を有する撮影レンズ及び撮像装置を提供することができる、としている。
【先行技術文献】
【特許文献】
【０００６】
【特許文献１】特開２００２−１９６２０６号公報
【特許文献２】特開２０１６−３１４１０号公報
【発明の概要】
【発明が解決しようとする課題】
【０００７】
しかし特許文献２に記載の発明においては、接着剤の破片がレンズ鏡筒内に散乱することは防げているものの、その効果を達成するために本来であれば不必要な部材を追加しなければならないという課題が存在した。このように新たな部材が追加されることで、撮影レンズ製造にかかるコストが増加し、製造工程も煩雑なものとなってしまう。
【０００８】
上記課題から本発明は、パーツ点数を増やすこと無く、簡易な構成で耐衝撃性を向上させたレンズ鏡筒を提供することを目的とする。
【課題を解決するための手段】
【０００９】
請求項１に示す発明は、光軸を中心軸とするレンズ素子を保持するレンズ鏡室と、前記レンズ鏡室を保持する固定筒と、前記レンズ鏡室と前記固定筒との位置関係を光軸と直行する方向に調整可能な複数の調芯部材と、を有するレンズ鏡筒であって、前記レンズ鏡室は複数の第１のバヨネット爪を有し、前記固定筒は複数の第２のバヨネット爪を有し、前記第１のバヨネット爪及び前記第２のバヨネット爪の個数は同数であり光軸方向から見て少なくとも一部が重なる位置に配されることを特徴とするレンズ鏡筒である。
【００１０】
請求項２に示す発明は、前記調芯部材は衝撃に対して変形可能な調芯コロであり、前記第１のバヨネット爪と前記第２のバヨネット爪は空隙を有して配されており、前記空隙は前記調芯コロの変形可能幅より小さいことを特徴とする請求項１に記載のレンズ鏡筒である。
【００１１】
請求項３に示す発明は、前記第１のバヨネット爪及び前記第２のバヨネット爪は、光軸を中心とした円周上に均等な距離で配されることを特徴とする請求項１又は請求項２のいずれかに記載のレンズ鏡筒である。
【００１２】
請求項４に示す発明は、前記調芯部材、前記第１のバヨネット爪及び前記第２のバヨネット爪の個数は同数であり光軸方向から見て少なくとも一部が重なる位置に配されることを特徴とする請求項１乃至請求項３のいずれかに記載のレンズ鏡筒。
【００１３】
請求項５に示す発明は、前記レンズ鏡室はレンズ保持部及び支持部から構成され、前記レンズ保持部と前記支持部とは光軸方向から締結部材によって固定されていることを特徴とする請求項１乃至請求項３のいずれかに記載のレンズ鏡筒である。
【００１４】
請求項６に示す発明は、前記締結部材、前記第１のバヨネット爪及び前記第２のバヨネット爪は光軸方向から見て少なくとも一部が重なる位置に配されることを特徴とする請求項５に記載のレンズ鏡筒である。
【発明の効果】
【００１５】
本発明によれば、パーツ点数を増やすこと無く、簡易な構成で耐衝撃性を向上させたレンズ鏡筒を提供することができる。
【図面の簡単な説明】
【００１６】
【図１】本発明の一実施例を示したレンズ鏡筒における調整機構の主要な構成部材を示す断面図である。
【図２】本発明の一実施例を示したレンズ鏡筒における調整機構の主要な構成部材を示す分解斜視図である。
【図３】本発明の一実施例を示したレンズ鏡筒における固定筒内周側の斜視図である。
【図４】本発明の一実施例を示したレンズ鏡筒における固定筒の断面図である。
【図５】本発明の一実施例を示したレンズ鏡筒における保持部の斜視図である。
【図６】本発明の一実施例を示したレンズ鏡筒における第２レンズ鏡室の斜視図である。
【図７】本発明の一実施例を示したレンズ鏡筒における第２調芯機構の模式断面図である。
【発明を実施するための形態】
【００１７】
以下、添付の図面に従って、本発明を実施するための最良の形態について説明する。なお、この実施の形態により本発明が限定されるものではない。
【００１８】
図１は本発明の一実施例を示したレンズ鏡筒における調整機構の主要な構成部材を示す断面図である。また、図２は本発明の一実施例を示したレンズ鏡筒における調整機構の主要な構成部材を示す分解斜視図である。以下、図１、図２を使用してレンズ鏡筒１の調整機構に係る主な部材について説明する。ここで、本実施例においてはレンズ鏡筒１における被写体側を前方、光軸と直行する方向をシフト方向と呼称することとする。
【００１９】
レンズ鏡筒１は撮像装置に取り付け可能な交換レンズであり、撮影レンズ群として第１レンズ群、第２レンズ群を有し、その中心に光軸を持つ。また、レンズ鏡筒１はシフト調芯を行うことで各レンズ群を光軸と直行する方向に調整することが可能である。また、レンズ鏡筒１は調整機構に係る主な部材として固定筒１と、第１レンズ鏡室と、第２レンズ鏡室３０とを備えている。ここで、本実施例においては第１レンズ鏡室に係る調整機構を第１調芯機構、第２レンズ鏡室３０に係る調整機構を第２調芯機構と呼称することとする。
【００２０】
固定筒１０は内部に各レンズ鏡室を保持する筒状の部材である。各レンズ鏡室は調芯コロによってシフト方向の調芯が行われ、固定ビス５２によって固定筒に固定される。また、固定筒１０には調芯コロを挿通する長溝状の開口部が設けられている。第１レンズ鏡室に対する開口部を第１開口部１１、第２レンズ鏡室に対する開口部を第２開口部１２とし、各開口部は光軸を中心とした円周上に均等な距離でそれぞれ３か所設けられている。
【００２１】
図３は本発明の一実施例を示したレンズ鏡筒１における固定筒内周側の斜視図である。固定筒１０は内周側に第１バヨネット爪１３と、第２バヨネット爪１４と、第２溝部１５とを備える。図４は本発明の一実施例を示したレンズ鏡筒における固定筒の正面図であり、第１バヨネット爪１３及び第２バヨネット爪１４の形状が示されている。第１バヨネット爪１３及び第２バヨネット爪１４はそれぞれが同様の形状をしており、光軸を中心とした円周上に均等な距離で３か所ずつ設けられている。また、第１バヨネット爪１３は第１レンズ鏡室における第１溝部２５に挿入されている。
【００２２】
図５は本発明の一実施例を示したレンズ鏡筒における保持部の斜視図である。第１レンズ鏡室はレンズ保持部２１、スペーサー２２及び支持部２３から構成される部材であり、第１調芯コロ５０により固定筒に対して固定される。第１レンズ鏡室が別体の部材から構成されているのは、レンズ保持部２１と支持部２３との位置関係をスペーサー２２によって調整可能とするためである。レンズ保持部２１は内周側に第１レンズ群を保持している。一方、支持部２３は外周側に光軸を中心とした円周上に均等な距離で第３バヨネット爪２４及び第１コロ受け部２６を３か所ずつ備え、また第１溝部２５を備えている。
【００２３】
また図１に示されるように、レンズ保持部２１と支持部２３とはスペーサー２２を間に挟んで、締結ビス２７を前方から３か所螺合することによって固定されている。
【００２４】
図６は本発明の一実施例を示したレンズ鏡筒における第２レンズ鏡室の斜視図である。第２レンズ鏡室３０は内周側に第２レンズ群を保持しており、第２調芯コロ５１により固定筒１０に対して固定される。また、外周側に光軸を中心とした円周上に均等な距離で第４バヨネット爪３１及び第２コロ受け部３２を３か所ずつ備えている。第４バヨネット爪３１は固定筒１０における第２溝部１５に挿入されている。
【００２５】
次に、図２を用いて本実施例におけるレンズ調芯について説明する。各レンズ鏡室を固定筒１０内に組み合わせた状態で、調芯コロは第１開口部１１及び第２開口部１２から光軸中心方向に向けて挿入される。挿入された調芯コロは各レンズ鏡室のコロ受け部に嵌合し、固定ビス５２によって固定される。
【００２６】
本実施例においては調芯コロとして２つの偏心コロと１つの係止コロが使用される。偏心コロは中心軸である固定ビス５２に対して頭部が偏心しており、頭部は第１開口部１１及び第２開口部１２に嵌合している。
【００２７】
このような構成から、各レンズ鏡室は調芯コロによって光軸と直行する面内での位置が規制される。さらに、固定ビス５２を中心軸として偏心コロを回転させることにより、各レンズ鏡室は調芯コロと長溝状の開口部との相互作用によって光軸と直行する面内を移動し、固定筒１０との位置関係が調整される。以上が本実施例におけるレンズ調芯の機構である。
【００２８】
なお、３か所に配置された調芯コロのうち、少なくとも２カ所の調芯コロが偏心していればよく、３か所全てが偏心していてもよい。また、本実施例において調芯コロはポリアセタール樹脂で形成されている。
【００２９】
次に、本実施例のレンズ鏡筒１における破損防止機構について説明する。シフト調芯が行われた第１レンズ鏡室及び第２レンズ鏡室３０は、３か所の調芯コロによって固定筒１０に対して固定されている。そのためレンズ鏡筒１に光軸方向から衝撃が加えられると、衝撃に係る負荷は各レンズ鏡室と固定筒１０を固定する調芯コロに集中する。通常、調芯コロに負荷がかかると、調芯コロはその弾性に従って光軸方向に縮小変形をする。
【００３０】
調芯コロには設計的に決定される変形可能幅が存在する。もし負荷による変形が弾性変形領域内であれば調芯コロは光軸方向に縮小変形し、その後に初期形状へと復帰する。しかし負荷による変形が弾性変形領域の境界である降伏点を超えるような場合には、調芯コロは塑性変形して変形が完全に戻らないか、衝撃を吸収しきれずに破損してしまう。従って本発明においては、負荷に対する調芯コロの変形が降伏点を超えることの無いよう、レンズ鏡室及び固定筒１０にバヨネット爪を配置する構成とした。
【００３１】
まず第２調芯機構の構成を説明する。図７は本発明の一実施例を示したレンズ鏡筒における第２調芯機構の模式断面図である。第２レンズ鏡室３０の外周部に備えられる第４バヨネット爪３１は、固定筒１０の第２溝部１５に挿入され、光軸方向から見た際には第２バヨネット爪１４と少なくとも一部が重なるように配置されている。また、第４バヨネット爪３１は第２溝部１５に接触せず、第２バヨネット爪１４を含む第２溝部１５を構成する両壁に対して所定の間隔の空隙を有している。なお図７は模式図であり、他の図とは異なり、要部の構成を明示するために本実施例の特徴を強調とした描写としている。
【００３２】
ここで、第４バヨネット爪３１と第２溝部１５との光軸方向における前後２カ所の間隔は、どちらも第２調芯コロ５１の弾性変形領域より狭い距離となるよう構成されている。このように構成することで、光軸方向からの衝撃で負荷がかかる場合において、第２調芯コロ５１の変形が点線で示された降伏点を超えるより先に、第４バヨネット爪３１と第２溝部１５との間隔が狭まり衝突することとなる。第４バヨネット爪３１と第２溝部１５が衝突すれば、固定筒１０と第２レンズ鏡室３０の光軸方向への相対移動が規制され、それ以上第２調芯コロ５１へ負荷がかかることはなくなる。従って、第２調芯コロ５１の変形が降伏点を超えることが起き得ない構成となっている。
【００３３】
また、第２調芯機構３０においては第２調芯コロ５１、第２バヨネット爪１４、第４バヨネット爪３１が同数であり、光軸方向から見た際には少なくとも一部が重なるように配置されている。このように配置することで調芯コロとバヨネット爪の相互間の距離が近くなり、衝撃による調芯コロへの負荷を有効に減らすことができる。
【００３４】
続いて第１調芯機構の構成を説明する。固定筒１０の内周側に備えられる第１バヨネット爪１３は、第１レンズ鏡室の第１溝部２５に挿入され、第３バヨネット爪２４と光軸方向から見た際には少なくとも一部が重なるように配置されている。また、第１バヨネット爪１３は第１溝部２５に接触せず、第３バヨネット爪２４を含む第１溝部２５を構成する両壁に対して所定の間隔の空隙を有している。
【００３５】
ここで、第３バヨネット爪２４と第１溝部２５との光軸方向における前後２カ所の間隔は、どちらも第１調芯コロ５０の弾性変形領域より狭い距離となるよう構成されている。従って第２調芯機構と同様に、第３バヨネット爪２４と第１溝部２５によって規制されることで、第１調芯コロ５０の変形が降伏点を超えることの起き得ない、第１調芯コロ５０が破損することのない構成となっている。
【００３６】
また、第１調芯機構においては締結ビス５２、第１バヨネット爪１３、第３バヨネット爪２４が光軸方向から見た際には少なくとも一部が重なるように配置されている。締結ビス５２はシフト調芯が行われた後に、第１レンズ鏡室を構成するレンズ保持部２１と支持部２３とを固定するために締結される部材である。ここで、締結ビス２７は前方方向からビス留めを行うため、通常ではビス留め時にかかる力量が第１調芯コロへの負荷となり、偏心量の変化や第１調芯コロ５０の破損を引き起こしてしまう。
【００３７】
しかし、本実施例の構成においてはビス留めにおける負荷によって生じる第１調芯コロ５０の変形が、締結ビス２７の後方に設けられた第１バヨネット爪１３、第３バヨネット爪２４によって規制されることで、第１調芯コロ５０へ負荷がかかったとしても破損することがない構成となっている。また、締結ビス２７とバヨネット爪の位置を光軸方向から見た際には少なくとも一部が重なるよう配置することで、相互間の距離が近くなり、衝撃による第１調芯コロ５０への負荷を有効に減らすことができる。
【００３８】
なお、第１調芯機構においては、第２調芯機構とは異なり、光軸方向から見た際に第１調芯コロ５０、第１バヨネット爪１３、第３バヨネット爪２４が重なるように配置されていない。これは締結ビス２７との位置関係を優先させたためである。調芯機構の位置関係は調芯コロへの負荷の具合に応じて、実施者が適宜選択すれば良い。
【００３９】
以上が本実施例における破損防止機構の説明である。このような構成をとることで、落下等の衝撃による外力が加えられてもレンズ鏡筒内の破損を防ぐことができる。また、特許文献２のように新たな部材を追加すること無く、既存の部材に新たな形状を設けたのみであるため、コストや工程の増加を防ぐことができる。
【００４０】
なお、本発明にかかるレンズ鏡筒は、本発明が適用される撮像装置に応じて適宜変形、及び拡大縮小される。また、必要に応じて、装置の外寸法の変更による外観の変化、部材間の結合位置、部材の材質など、種々の変形や変更が可能であるが、いずれも本発明の均等の範囲内である。
【符号の説明】
【００４１】
１      レンズ鏡筒
１０      固定筒
１１      第１開口部
１２      第２開口部
１３      第１バヨネット爪
１４      第２バヨネット爪
１５      第２溝部
２１      レンズ保持部
２２      スペーサー
２３      支持部
２４      第３バヨネット爪
２５      第１溝部
２６      第１コロ受け部
２７      締結ビス
３０      第２レンズ鏡室
３１      第４バヨネット爪
３２      第２コロ受け部
５０      第１調芯コロ
５１      第２調芯コロ
５２      固定ビス
【図１】
2020012997.tif 000003
【図２】
2020012997.tif 000004
【図３】
2020012997.tif 000005
【図４】
2020012997.tif 000006
【図５】
2020012997.tif 000007
【図６】
2020012997.tif 000008
【図７】
2020012997.tif 000009